(57)【要約】【課題】電子時計１に記憶される情報量を増大することなく、温度補償の精度を向上することにある。【解決手段】携帯端末２０は、水晶振動子４０を含む電子時計１と通信接続可能であって、電子時計１が備える温度測定部３８が測定した電子時計１の使用環境の温度を取得する温度取得部２４と、水晶振動子４０の温度特性に応じた温度補償条件を記憶する温度補償条件記憶部２５と、温度取得部２４が取得した使用環境の温度の傾向に基づいて、温度補償条件を切り替える切替部２６と、を含む。【選択図】図２
2018191108.tif 000002
【特許請求の範囲】
【請求項１】
発振子又は発振器を含む電子時計と通信接続可能であって、
前記電子時計が備える温度測定部が測定した前記電子時計の使用環境の温度を取得する温度取得部と、
前記発振子又は発振器の温度特性に応じた温度補償条件を記憶する温度補償条件記憶部と、
前記温度取得部が取得した前記使用環境の温度の傾向に基づいて、温度補償に用いる前記温度補償条件を切り替える切替部と、
を含む携帯端末。
【請求項２】
前記温度補償条件記憶部は、前記使用環境の温度と前記電子時計の歩度の補正値とが対応付けられ、温度区間が密の領域が互いに異なる複数の前記温度補償条件を記憶し、
前記切替部は、前記複数の温度補償条件のうち、前記温度取得部が取得した前記使用環境の温度の傾向が、前記温度区間が密の領域に対応する温度補償条件に切り替える請求項１に記載の携帯端末。
【請求項３】
前記電子時計の歩度ずれ量を取得する歩度ずれ量取得部と、
前記温度取得部が取得した前記使用環境の温度の傾向と、前記歩度ずれ量取得部が取得した前記歩度ずれ量とに基づいて、温度補償条件を生成する生成部と、
をさらに含み、
前記温度補償条件記憶部は、前記生成部が生成した前記温度補償条件を記憶する請求項１又は２に記載の携帯端末。
【請求項４】
前記温度取得部が取得した前記使用環境の温度の傾向に対応する温度区間が密な領域となるように前記使用環境の温度と前記電子時計の歩度の補正値とが対応付けられた温度補償条件を、前記使用環境の温度と前記電子時計の歩度の補正値との関数に基づいて生成する生成部をさらに有する請求項１に記載の携帯端末。
【請求項５】
前記生成部は、前記温度取得部が取得した前記使用環境の温度と、前記歩度ずれ量取得部が取得した前記歩度ずれ量とを二次元プロットし、該二次元プロットしたデータに基づいて前記温度補償条件を生成する請求項３又は４に記載の携帯端末。
【請求項６】
前記生成部は、予め取得される前記発振子又は発振器の温度特性を示す関数に応じて前記温度補償条件を生成する請求項３〜５のいずれかに記載の携帯端末。
【請求項７】
前記歩度ずれ量取得部は、前記携帯端末の基準時刻に対する前記電子時計の内部時刻の時刻ずれと、該時刻ずれが生じた期間に基づいて、歩度ずれ量を取得する請求項３に記載の携帯端末。
【請求項８】
前記歩度ずれ量取得部は、前記時刻ずれの累積が所定量に達した場合、前記歩度ずれ量を取得する請求項７に記載の携帯端末。
【請求項９】
前記使用環境の温度の傾向は、前記温度取得部が取得した最高温度と最低温度との平均値である請求項１〜８のいずれかに記載の携帯端末。
【請求項１０】
前記使用環境の温度の傾向は、前記温度取得部が取得した温度の平均値、中央値又は最頻値である請求項１〜８のいずれかに記載の携帯端末。
【請求項１１】
コンピュータを、請求項１〜１０のいずれかに記載の携帯端末として機能させるためのプログラム。
【請求項１２】
発振子又は発振器を含む電子時計と、前記電子時計と通信接続可能な携帯端末とを含み、
前記電子時計は、前記電子時計の使用環境の温度を測定する温度測定部を有し、
前記携帯端末は、
前記温度測定部が測定した前記電子時計の使用環境の温度を取得する温度取得部と、
前記発振子又は発振器の温度特性に応じた温度補償条件を記憶する温度補償条件記憶部と、
前記温度取得部が取得した前記使用環境の温度の傾向に基づいて、温度補償に用いる前記温度補償条件を切り替える切替部と、
を有する温度補償システム。
【請求項１３】
前記電子時計は、前記切替部が切り替えた前記温度補償条件に基づいて、温度補償を行う温度補償回路を有する請求項１２に記載の温度補償システム。
【請求項１４】
発振子又は発振器を含み、携帯端末と通信接続可能な電子時計であって、
前記電子時計の使用環境の温度を取得する温度取得部と、
前記発振子又は発振器の温度特性に応じた温度補償条件であって、前記携帯端末において前記温度取得部が取得した前記使用環境の温度の傾向に基づいて切り替えられた温度補償条件を用いて、温度補償を行う温度補償回路と、
を有する電子時計。
【請求項１５】
前記温度取得部が取得した前記使用環境の温度を、前記携帯端末に通知する温度通知部と、
前記携帯端末において前記温度通知部により通知された前記使用環境の温度の傾向に基づいて切り替えられた前記温度補償条件を、前記携帯端末から取得する温度補償条件取得部と、
を有する請求項１４に記載の電子時計。
【発明の詳細な説明】
【技術分野】
【０００１】
本発明は、携帯端末、プログラム、温度補償システム、及び電子時計に関する。
【背景技術】
【０００２】
従来、水晶振動子の発振周波数に基づいて時刻を計時する電子時計が知られている。水晶振動子は、使用環境の温度によって発振周波数が変動する特性を有する。水晶振動子の発振周波数が変動すると電子時計に歩度ずれが生じてしまう。例えば、特許文献１には、水晶振動子の温度特性による歩度ずれに応じて温度補償を行う技術が開示されている。
【先行技術文献】
【特許文献】
【０００３】
【特許文献１】特開２０１５−０８２８１５号公報
【発明の概要】
【発明が解決しようとする課題】
【０００４】
電子時計の使用環境に応じて温度補償の精度を向上することが望まれている。しかしながら、電子時計に記憶できる情報量は限られており、電子時計内で温度補償の精度を向上させる制御を行うのには限界がある。
【０００５】
本発明はかかる事情に鑑みてなされたものであり、その目的は、電子時計に記憶される情報量を増大することなく、温度補償の精度を向上することにある。
【課題を解決するための手段】
【０００６】
上記課題を解決すべく本出願において開示される発明は種々の側面を有しており、それら側面の代表的なものの概要は以下の通りである。
【０００７】
（１）発振子又は発振器を含む電子時計と通信接続可能であって、前記電子時計が備える温度測定部が測定した前記電子時計の使用環境の温度を取得する温度取得部と、前記発振子又は発振器の温度特性に応じた温度補償条件を記憶する温度補償条件記憶部と、前記温度取得部が取得した前記使用環境の温度の傾向に基づいて、温度補償に用いる前記温度補償条件を切り替える切替部と、を含む携帯端末。
【０００８】
（２）（１）において、前記温度補償条件記憶部は、前記使用環境の温度と前記電子時計の歩度の補正値とが対応付けられ、温度区間が密の領域が互いに異なる複数の前記温度補償条件を記憶し、前記切替部は、前記複数の温度補償条件のうち、前記温度取得部が取得した前記使用環境の温度の傾向が、前記温度区間が密の領域に対応する温度補償条件に切り替える携帯端末。
【０００９】
（３）（１）又は（２）において、前記電子時計の歩度ずれ量を取得する歩度ずれ量取得部と、前記温度取得部が取得した前記使用環境の温度の傾向と、前記歩度ずれ量取得部が取得した前記歩度ずれ量とに基づいて、温度補償条件を生成する生成部と、をさらに含み、前記温度補償条件記憶部は、前記生成部が生成した前記温度補償条件を記憶する携帯端末。
【００１０】
（４）（１）において、前記温度取得部が取得した前記使用環境の温度の傾向に対応する温度区間が密な領域となるように前記使用環境の温度と前記電子時計の歩度の補正値とが対応付けられた温度補償条件を、前記使用環境の温度と前記電子時計の歩度の補正値との関数に基づいて生成する生成部をさらに有する携帯端末。
【００１１】
（５）（３）又は（４）において、前記生成部は、前記温度取得部が取得した前記使用環境の温度と、前記歩度ずれ量取得部が取得した前記歩度ずれ量とを二次元プロットし、該二次元プロットしたデータに基づいて前記温度補償条件を生成する携帯端末。
【００１２】
（６）（３）〜（５）のいずれかにおいて、前記生成部は、予め取得される前記発振子又は発振器の温度特性を示す関数に応じて前記温度補償条件を生成する携帯端末。
【００１３】
（７）（３）において、前記歩度ずれ量取得部は、前記携帯端末の基準時刻に対する前記電子時計の内部時刻の時刻ずれと、該時刻ずれが生じた期間に基づいて、歩度ずれ量を取得する携帯端末。
【００１４】
（８）（７）において、前記歩度ずれ量取得部は、前記時刻ずれの累積が所定量に達した場合、前記歩度ずれ量を取得する携帯端末。
【００１５】
（９）（１）〜（８）のいずれかにおいて、前記使用環境の温度の傾向は、前記温度取得部が取得した最高温度と最低温度との平均値である携帯端末。
【００１６】
（１０）（１）〜（８）のいずれかにおいて、前記使用環境の温度の傾向は、前記温度取得部が取得した温度の平均値、中央値又は最頻値である携帯端末。
【００１７】
（１１）コンピュータを、（１）〜（１０）のいずれかに記載の携帯端末として機能させるためのプログラム。
【００１８】
（１２）発振子又は発振器を含む電子時計と、前記電子時計と通信接続可能な携帯端末とを含み、前記電子時計は、前記電子時計の使用環境の温度を測定する温度測定部を有し、前記携帯端末は、前記温度測定部が測定した前記電子時計の使用環境の温度を取得する温度取得部と、前記発振子又は発振器の温度特性に応じた温度補償条件を記憶する温度補償条件記憶部と、前記温度取得部が取得した前記使用環境の温度の傾向に基づいて、温度補償に用いる前記温度補償条件を切り替える切替部と、を有する温度補償システム。
【００１９】
（１３）（１２）において、前記電子時計は、前記切替部が切り替えた前記温度補償条件に基づいて、温度補償を行う温度補償回路を有する温度補償システム。
【００２０】
（１４）発振子又は発振器を含み、携帯端末と通信接続可能な電子時計であって、前記電子時計の使用環境の温度を取得する温度取得部と、前記発振子又は発振器の温度特性に応じた温度補償条件であって、前記携帯端末において前記温度取得部が取得した前記使用環境の温度の傾向に基づいて切り替えられた温度補償条件を用いて、温度補償を行う温度補償回路と、を有する電子時計。
【００２１】
（１５）（１４）において、前記温度取得部が取得した前記使用環境の温度を、前記携帯端末に通知する温度通知部と、前記携帯端末において前記温度通知部により通知された前記使用環境の温度の傾向に基づいて切り替えられた前記温度補償条件を、前記携帯端末から取得する温度補償条件取得部と、を有する電子時計。
【発明の効果】
【００２２】
上記本発明の（１）〜（１５）の側面によれば、電子時計に記憶される情報量を増大することなく、温度補償の精度を向上することができる。
【図面の簡単な説明】
【００２３】
【図１】電子時計の外観の一例を示す平面図である。
【図２】第１実施形態に係る温度補償システムの全体構成の一例を示すブロック図である。
【図３】水晶振動子の温度特性の一例を示す図である。
【図４】低温用補償条件の一例を示す図である。
【図５】中温用補償条件の一例を示す図である。
【図６】高温用補償条件の一例を示す図である。
【図７】水晶振動子の温度特性の一例を示す図である。
【図８】相対温度補償条件の一例を示す図である。
【図９】低温用補償条件の一例を示す図である。
【図１０】中温用補償条件の一例を示す図である。
【図１１】高温用補償条件の一例を示す図である。
【図１２】第２実施形態における、使用環境の温度の傾向と歩度ずれ量の取得について説明するための図である。
【図１３】第２実施形態における水晶振動子の保持温度特性と実際の温度特性を示す図である。
【図１４】第２実施形態における保持温度特性の合わせ込みについて説明する図である。
【図１５】第２実施形態における保持温度特性の合わせ込みについて説明する図である。
【図１６】第２実施形態における保持温度特性の合わせ込みについて説明する図である。
【図１７】第２実施形態における保持温度特性の合わせ込みについて説明する図である。
【図１８】第２実施形態における保持温度特性の合わせ込みについて説明する図である。
【図１９】第２実施形態における保持温度特性の合わせ込みについて説明する図である。
【図２０】第２実施形態における保持温度特性の合わせ込みについて説明する図である。
【図２１】第２実施形態の変形例における水晶振動子の保持温度特性と実際の温度特性を示す図である。
【発明を実施するための形態】
【００２４】
以下、図面を参照して、本発明の第１実施形態に係る温度補償システム１００について説明する。まず、図１を参照して、第１実施形態に係る温度補償システム１００に含まれる電子時計１の構成の概要について説明する。図１は、電子時計の外観の一例を示す平面図である。
【００２５】
電子時計１は、いわゆるアナログ腕時計の外観を有し、携帯端末２０（図２参照）に対して近距離無線通信により接続される。近距離無線通信の規格は特に限定されず、公知のいかなるものであってもよいが、第１実施形態ではＢＬＥ（Ｂｌｕｅｔｏｏｔｈ（登録商標）  Ｌｏｗ  Ｅｎｅｒｇｙ）を用いる。
【００２６】
電子時計１は、時刻針の時刻合わせや機能の使用に用いる竜頭２と、プッシュボタン３を有する。電子時計１は、外装である胴内に文字板４を有する。文字板４上には、電子時計１が携帯端末２０との通信接続を確立する処理を行っていることを表す接続処理表示（図１中のＡＣＴ）８と、携帯端末２０との通信接続が切断されたことを表すリンクロス表示（図１中のＬＬ）９と、携帯端末２０に電子メールの受信があったことを通知する電子メール受信表示（図１中のＭＡＩＬ）１０と、携帯端末２０に電話の着信があったことを通知する電話着信表示（図１中のＣＡＬＬ）１１とを有する。電子時計１は、接続処理表示８、リンクロス表示９、電子メール受信表示１０及び電話着信表示１１のいずれかを秒針７により指し示すことで、ユーザに対しそれぞれの情報を通知する。
【００２７】
電子時計１は、ステッピングモータ３６（図２参照）により駆動される複数の指針を有する。具体的には、電子時計１は、指針として時針５、分針６及び秒針７を有する。なお、電子時計１は、これら以外の指針を有してもよい。電子時計１には、文字板４を覆うようにガラス等の透明材料により形成された風防が胴に取り付けられているとよい。また、風防の反対側においては裏蓋が胴に取り付けられているとよい。
【００２８】
図１に示した電子時計１のデザインは一例である。例えば、胴を丸型でなく角型にしてもよいし、竜頭２やプッシュボタン３の有無、数、配置は任意である。
【００２９】
図２を参照して、第１実施形態に係る温度補償システム１００の全体構成について説明する。図２は、第１実施形態に係る温度補償システムの全体構成の一例を示すブロック図である。
【００３０】
温度補償システム１００は、電子時計１と、携帯端末２０を含む。携帯端末２０は、ユーザが持ち運び可能な電子機器であって、例えば、スマートフォンである。携帯端末２０は、アンテナを含む通信部（不図示）を有し、その通信部で近距離無線通信に用いられる電波等を送受信する。
【００３１】
図２に示すように、電子時計１は、発振回路３１と、分周回路３２と、カウンタ３３と、制御部３４と、モータ駆動回路３５と、ステッピングモータ３６と、時刻表示部３７と、温度測定部３８と、温度補償回路３９と、水晶振動子４０、温度記録部４１とを有する。また、電子時計１は、アンテナを含む通信部（不図示）を有し、その通信部で近距離無線通信に用いられる電波等を送受信する。
【００３２】
発振回路３１は、水晶振動子４０に接続される。水晶振動子４０は元来備える特性を有しており、例えば、３２，７６８Ｈｚの発振周波数を有するものを用いるとよい。発振回路３１は、水晶振動子４０の発振に応じた信号を出力する。この信号は分周回路３２によりクロック信号に変換される。また、カウンタ３３がクロック信号の数をカウントする。そして、制御部３４が、カウンタ３３によりカウントされたクロック信号のカウント数に応じて、駆動信号をモータ駆動回路３５に出力する。モータ駆動回路３５は、駆動信号に基づいてステッピングモータ３６を駆動させる。ステッピングモータ３６が駆動することにより、時刻表示部３７が時刻を表示する。具体的には、時刻表示部３７は、上述した時針５、分針６、及び秒針７により時刻を表示する。
【００３３】
ここで、水晶振動子４０の発振周波数には温度依存性があり、電子時計１の使用環境の温度によって発振周波数が変動する。発振周波数が変動すると電子時計１の歩度がずれてしまう。そのような水晶振動子４０の温度特性によって生じる歩度ずれを補正するため、電子時計１の使用環境の温度に応じて所謂温度補償を行う必要がある。なお、歩度とは、ある期間の時刻の進み又は遅れの程度を示すものである。
【００３４】
なお、本実施形態においては、水晶振動子４０を用いた例について説明するが、これに限られるわけではなく、温度特性を有する他の発振子又は発振器を用いてもよい。例えば、発振器として、ＭＥＭＳ（Micro Electro Mechanical Systems）発振器や、セラミック発振子等を用いてもよい。
【００３５】
温度測定部３８は、電子時計１の使用環境の温度を測定する。温度記録部４１は、温度測定部３８が測定した温度を記録する。
【００３６】
温度補償回路３９は、水晶振動子４０の温度特性に応じた温度補償条件を記憶する。温度補償回路３９は、制御部３４にその動作を制御され、温度補償条件及び温度測定部３８が測定した電子時計１の使用環境の温度に基づいて、温度補償を行う。具体的には、温度補償条件及び温度測定部３８が測定した電子時計１の使用環境の温度に基づいて、少なくとも発振回路３１の発振周波数又は分周回路３２の分周比のいずれか一方を補正することにより、水晶振動子４０の温度特性に基づいて生じる歩度ずれを補正する。
【００３７】
図３は、水晶振動子の温度特性の一例を示す図である。水晶振動子４０の温度特性は予め予測できるものであり、二次曲線を示す関数で表すことができる。なお、二次曲線を示す関数で表すことができる温度特性を有する水晶振動子として、音叉型水晶振動子を用いるとよい。図３において、横軸は温度（℃）を示し、縦軸は歩度ずれ量（ｐｐｍ[parts per million]）を示す。第１実施形態においては、図３に示すように、常温（約２５℃）において最も歩度ずれが小さく、常温よりも温度が高い場合も低い場合も歩度ずれが大きくなる特性を有する水晶振動子４０を用いる。
【００３８】
一方、携帯端末２０は、図２に示すように、ＧＰＳ（Global Positioning System）受信部２１と、基準時刻生成部２２と、歩度ずれ量取得部２３とを有する。
【００３９】
携帯端末２０は、アンテナを含むＧＰＳ受信部２１により、ＧＰＳ衛星から送信される衛星電波を受信する。ＧＰＳは、衛星測位システムの一種であって、地球の周囲を周回する複数のＧＰＳ衛星によって実現されている。これらのＧＰＳ衛星は、それぞれ高精度の原子時計を搭載しており、原子時計によって計時された時刻情報を含んだ衛星信号を周期的に送信している。携帯端末２０は、ＧＰＳ衛星から受信した電波に基づいて、基準時刻生成部２２により基準時刻を生成する。なお、ＧＰＳ衛星からの衛星電波を受信するものに限られず、例えば、携帯電話会社の基地局等から送信される時刻情報を含んだ電波を携帯端末２０が受信してもよい。
【００４０】
また、携帯端末２０は、近距離無線通信により、基準時刻生成部２２で生成した基準時刻に関する情報を電子時計１へ送信する。これにより、電子時計１の内部時刻は、基準時刻に同期され、正確に保たれる。この際、携帯端末２０の基準時刻を計時するクロック信号が発生した後、最も近いタイミングで発生する電子時計１の内部時刻を計時するクロック信号を、基準時刻を計時するクロック信号に同期するとよい。なお、電子時計１に歩度ずれがある場合、電子時計１と携帯端末２０とを近距離無線通信による通信接続を長時間行わないと、電子時計１の内部時刻と基準時刻のずれが大きくなる。
【００４１】
携帯端末２０と電子時計１が通信接続されることによって内部時刻が基準時刻に同期された際における内部時刻の修正量が内部時刻の時刻ずれ量である。歩度ずれ量取得部２３は、電子時計１の歩度ずれ量を取得する。具体的には、歩度ずれ量取得部２３は、内部時刻の時刻ずれ量（修正量）と、その時刻ずれが生じた期間に基づいて、歩度ずれ量を取得する。
【００４２】
ここで、前述したように、電子時計１においては、温度補償条件に基づいて温度補償が行われる。電子時計１に記憶できる情報量は限られており、使用環境の温度傾向に幅広く対応可能な精度の高い温度補償条件を記憶しておくのは困難である。
【００４３】
そこで、第１実施形態に係る温度補償システム１００においては、図２に示すように、携帯端末２０が、温度取得部２４と、温度補償条件記憶部２５と、切替部２６とをさらに含む。なお、温度取得部２４、温度補償条件記憶部２５、切替部２６は、携帯端末２０が備えるメモリ等に、アプリケーションがインストールされることにより記憶されるとよい。インストールされたアプリケーションは、携帯端末２０が備えるＣＰＵ（Central Processing Unit）により動作が制御されるとよい。
（〜００４７：Ｂ−２）
【００４４】
温度補償条件記憶部２５は、水晶振動子４０の温度特性に応じた複数の温度補償条件を記憶する。第１実施形態においては、温度補償条件記憶部２５が、図４〜図６に示す３つの温度補償条件を記憶する例について説明する。図４は、低温用補償条件の一例を示す図である。図５は、中温用補償条件の一例を示す図である。図６は、高温用補償条件の一例を示す図である。各温度補償条件は、温度と歩度の補正値とが対応付けられたテーブルからなる。例えば、図４においては、電子時計１の使用環境の温度が０℃の場合、水晶振動子４０の歩度ずれ量に対応する歩度の補正値を６１５ｐｐｍとし、３０℃の場合、歩度の補正値を１５ｐｐｍとすることを示している。図４〜図６のいずれも、図３に示す温度特性を有する水晶振動子４０に対する温度補償条件であって、０℃〜５０℃の環境下において対応可能な温度補償条件を示す。
【００４５】
ここで、温度補償条件に多くの情報を持たせておくと、温度補償の精度が高くなるが、電子時計１に記憶できる情報量には限りがある。例えば、０℃〜５０℃までの各温度における補正値を１℃毎に対応付けた温度補償条件に基づいて温度補償を行うと、精度の高い温度補償ができるが、そのような温度補償条件を電子時計１に記憶させておくことは困難である。そこで、第１実施形態においては、電子時計１に記憶させる情報量を増大することなく、電子時計１の使用環境の温度に適した温度補償条件を用いて温度補償を行うことが可能な構成とした。
【００４６】
図４に示すように、低温用補償条件においては、９℃〜２１℃における温度区間を密な領域とした。すなわち、９℃〜２１℃の領域においては、温度補償の精度を高くし、他の領域においては温度補償の精度を粗くした。
【００４７】
図５に示すように、中温用補償条件においては、１９℃〜３１℃における温度区間を密な領域とした。すなわち、１９℃〜３１℃の領域においては、温度補償の精度を高くし、他の領域においては温度補償の精度を粗くした。
【００４８】
図６に示すように、高温用補償条件においては、２９℃〜４１℃における温度区間を密な領域とした。すなわち、２９℃〜４１℃の領域においては、温度補償の精度を高くし、他の領域においては温度補償の精度を粗くした。
【００４９】
温度取得部２４は、近距離無線通信により、電子時計１の温度測定部３８が測定した電子時計１の使用環境の温度を取得する。なお、温度取得部２４は、温度測定部３８から使用環境の温度を直接取得してもよいし、一旦温度記録部４１に記録された使用環境の温度を取得してもよい。電子時計１は、温度測定部３８が測定した使用環境の温度を携帯端末２０に通知する温度通知部を含むとよい。第１実施形態においては、温度取得部２４は、温度測定部３８が複数回測定した電子時計１の使用環境の温度の中央値を、その使用環境下での温度の傾向として取得する。
【００５０】
切替部２６は、温度取得部２４が取得した温度の中央値が２０℃以下の場合、図４に示す低温用補償条件を選択するとよい。また、切替部２６は、温度取得部２４が取得した温度の中央値が２０℃より大きく、３０℃より小さい場合、図５に示す中温用補償条件を選択するとよい。また、切替部２６は、温度取得部２４が取得した温度の中央値が３０℃以上の場合、図６に示す高温用補償条件を選択するとよい。なお、電子時計１の使用環境の温度の傾向は、中央値に限られるものではなく、平均値や最頻値であってもよい。
【００５１】
携帯端末２０は、切替部２６が選択した温度補償条件を、近距離無線通信により、電子時計１の温度補償回路３９へ送信する。電子時計１は、切替部２６が選択した温度補償条件を取得する温度補償条件取得部を含むとよい。そして、温度補償回路３９は、携帯端末２０から送信された温度補償条件を記憶し、その温度補償条件を用いて温度補償を行う。なお、使用環境が変わった場合、すなわち、温度取得部２４が取得した電子時計１の温度の中央値が変わった場合、それに応じて、切替部２６が電子時計１へ送信する温度補償条件を切り替えるとよい。
【００５２】
以上説明したように、第１実施形態においては、電子時計１の使用環境に適した温度補償条件を携帯端末２０が選択し、選択された温度補償条件を用いて電子時計１の温度補償回路３９が温度補償を行う。このような構成により、電子時計１に記憶される情報量を増大することなく、水晶振動子４０の使用環境に応じて精度の高い温度補償を行うことが可能となる。また、第１実施形態においては、温度補償条件の情報量を少なくできるため、近距離無線通信により携帯端末２０から電子時計１へ温度補償条件を送信する際の通信量が増大することを抑制できる。なお、携帯端末２０から電子時計１へ温度補償条件が送信され、温度補償回路３９が温度補償条件を取得した際に、温度記録部４１は記録される温度データを消去するとよい。その後温度記録部４１は温度測定部３８が測定した使用環境の温度を新たに記録し、その使用環境の温度に基づいて、携帯端末２０が最適な温度補償条件を選択する動作を行うとよい。
【００５３】
なお、第１実施形態においては、温度補償条件記憶部２５が３つの温度補償条件を記憶しており、切替部２６がそのいずれかを選択する例について説明したが、これに限られるものではない。例えば、温度補償条件記憶部２５が、図４〜図６に示すテーブルに含まれる温度と補正値との対応付けデータの全てを含む高分解能の１つのテーブルを記憶していてもよい。そして、図２に示す生成部２７が、温度取得部２４が取得した電子時計１の使用環境の温度の傾向に基づいて、対応付けデータの一部を抽出して温度補償条件を生成してもよい。具体的には、例えば、温度取得部２４が取得した温度の中央値が３８℃であれば、３８℃付近の温度区間が密の領域となる温度補償条件を生成部２７が生成するとよい。そして、生成部２７により生成された温度補償条件を温度補償条件記憶部２５が記憶し、切替部２６が電子時計１に送信する温度補償条件を生成部２７に生成された温度補償条件に切り替えるとよい。このような構成とすることで、電子時計１に記憶される情報量を増大することなく、温度環境に応じたさらに精度の高い温度補償を行うことが可能となる。
【００５４】
また、図４〜図６においては、温度補償条件記憶部２５が使用環境の温度と補正値とが離散的に対応付けられる温度補償条件を記憶する例について説明したが、これに限られるものではない。例えば、使用環境の温度と補正値との関係を二次関数として連続的に対応付けた情報を携帯端末２０に予め記憶させておき、生成部２７が、温度測定部３８が測定した使用環境の温度の傾向に基づいて、その二次関数から、使用環境の温度と補正値とが離散的に対応付けられる温度補償条件を生成してもよい。具体的には、使用環境の温度の傾向が、温度区間が密の領域に対応するような温度補償条件を生成するとよい。温度補償条件を生成するための情報を二次関数として記憶することにより、使用環境に応じたより精度の高い温度補償条件の選択が可能となる。
【００５５】
さらに、図７〜図１１を参照して、第１実施形態の変形例について説明する。なお、第１実施形態で説明した構成と同じ構成については同じ符号を用いてその説明は省略する。
【００５６】
図７は、水晶振動子の温度特性の一例を示す図である。図８は、相対温度補償条件の一例を示す図である。図９は、低温用補償条件の一例を示す図である。図１０は、中温用補償条件の一例を示す図である。図１１は、高温用補償条件の一例を示す図である。
【００５７】
変形例においても、図７に示すように、常温（約２５℃）において最も歩度ずれが小さく、常温よりも温度が高い場合も低い場合も歩度ずれが大きくなる特性を有する水晶振動子４０を用いる。一方、変形例においては、図３で示した第１実施形態よりも対応可能な使用環境の温度の範囲を広くした。具体的には、第１実施形態においては、対応可能な使用環境の温度の範囲を０℃〜５０℃としたが、変形例においては、図７に示すように、対応可能な使用環境の温度の範囲を−１５℃〜６５℃とした。
【００５８】
変形例において、温度補償条件記憶部２５は、図８に示す相対温度補償条件を記憶している。相対温度補償条件は、図８に示すように、電子時計１の使用環境の温度の中央値に対する相対温度（℃）と、歩度の補正値（ｐｐｍ）とが対応づけられたテーブルからなる。変形例においては、電子時計１の使用環境の温度の中央値と、相対温度補償条件に基づいて、生成部２７が温度補償条件を生成する構成とした。
【００５９】
相対温度補償条件においては、相対温度のデータ数を固定とし、その相対温度に低温用補正値、中温用補正値、高温用補正値をそれぞれ対応付けた。そして、図８に示すように、相対温度が−６℃〜６℃において、温度区間を密とした。そして、相対温度が高くなる程、または低くなる程、温度区間を疎とした。このように、変形例においては、中央値に相対的に近い温度において、温度補償の精度が高くなるよう相対温度補償条件を設定した。なお、相対温度の範囲は−３０℃〜３０℃とした。
【００６０】
図９は、温度取得部２４が取得した温度の中央値が１５℃（低温）の場合において、生成部２７が生成する低温用補償条件を示す。低温用補償条件においては、中央値１５℃からのずれが−６℃〜６℃に対応する９℃〜２１℃における温度区間が密な領域となる。すなわち、９℃〜２１℃の領域においては、温度補償の精度が高く、他の領域においては温度補償の精度が粗くなっている。なお、中央値が１５℃である低温用補償条件においては、対応可能な使用環境の温度の範囲は、−１５℃〜４５℃となる。
【００６１】
図１０は、温度取得部２４が取得した温度の中央値が２５℃（中温）の場合において、生成部２７が生成する中温用補償条件を示す。中温用補償条件においては、中央値２５℃からのずれが−６℃〜６℃に対応する１９℃〜３１℃における温度区間が密な領域となる。すなわち、１９℃〜３１℃の領域においては、温度補償の精度を高く、他の領域においては温度補償の精度が粗くなっている。なお、中央値が２５℃である中温用補償条件においては、対応可能な使用環境の温度の範囲は、−５℃〜５５℃となる。
【００６２】
図１１は、温度取得部２４が取得した温度の中央値が３５℃（高温）の場合において、生成部２７が生成する高温用補償条件を示す。高温用補償条件においては、中央値３５℃からのずれが−６℃〜６℃に対応する２９℃〜４１℃における温度区間が密な領域となる。すなわち、２９℃〜４１℃の領域においては、温度補償の精度が高く、他の領域においては温度補償の精度が粗くなっている。なお、中央値が３５℃である高温用補償条件においては、対応可能な使用環境の温度の範囲は、５℃〜６５℃となる。
【００６３】
変形例においては、温度取得部２４が取得した温度の中央値が２０℃以下の場合、図９に示す低温用補償条件を生成部２７が生成し、切替部２６が電子時計１へ送信する温度補償条件として図９に示す低温用補償条件を選択するとよい。また、温度取得部２４が取得した温度の中央値が２０℃より大きく３０℃より小さい場合、図１０に示す中温用補償条件を生成部２７が生成し、切替部２６が電子時計１へ送信する温度補償条件として図１０に示す中温用補償条件を選択するとよい。また、温度取得部２４が取得した温度の中央値が３０℃以上の場合、図１１に示す高温用補償条件を生成部２７が生成し、切替部２６が電子時計１へ送信する温度補償条件として図１１に示す高温用補償条件を選択するとよい。
【００６４】
以上説明したように、変形例においては、相対温度の数と値が固定のため、電子時計１に記憶される値は中央値と各相対温度での補正量のみとなるので、第１実施形態の構成と比較して、温度条件記憶部２５に記憶される情報量を少なくすることができる。そのため、情報量を増大することなく、対応可能な使用環境の温度の範囲を広くすることができる。また、図８〜図１１に示すテーブルに含まれる温度と補正値との対応付けデータの全てを含む高分解能の１つのテーブルを記憶していてもよい。そして、図２に示す生成部２７が、温度取得部２４が取得した電子時計１の使用環境の温度の傾向に基づいて、対応付けデータの一部を抽出して温度補償条件を生成してもよい。
【００６５】
なお、第１実施形態及びその変形例においては、携帯端末２０から送信された温度補償条件を電子時計１が複数記憶する構成であってもよい。そのような構成にすることで、電子時計１と携帯端末２０の通信接続を長期間行わない場合であっても、電子時計１が自ら使用環境の温度に応じて使用する温度補償条件を切り替えればよい。電子時計１に記憶できる情報量には限りがあるが、第１実施形態及びその変形例で説明した情報量の少ない温度補償条件を用いることで、電子時計１は複数の温度補償条件を記憶しておくことが可能となる。
【００６６】
次に、図１２を参照して、第２実施形態について説明する。図１２は、第２実施形態における、使用環境の温度の傾向と歩度ずれ量の取得について説明するための図である。なお、第２実施形態に係る温度補償システム１００の全体構成は図２を参照して説明した第１実施形態と同様であるため、同じ構成について同じ符号を用いてその説明は省略する。
【００６７】
温度取得部２４は、電子時計１の使用環境の温度を取得する。また、歩度ずれ量取得部２３は、電子時計１の使用環境の温度を取得した時点における時刻ずれ量を取得する。図１２においては、時刻ずれ量の累積が５秒に達するまで、時刻ずれ量を複数回数取得した例を示す。図１２に示すように、時計自体の内部時計の進み遅れと、携帯端末２０の時刻同期精度のジッターにより、携帯端末２０側から見た時刻は早くなったり遅くなったりを繰り返しながら、次第に時刻のずれ量が大きくなっていく。歩度ずれ量取得部２３は、累積時刻ずれ量と、その累積時刻ずれ量に達するのに要した期間に基づいて、歩度ずれ量を取得する。なお、電子時計１の内部時刻は携帯端末２０に接続される度に時刻修正され、携帯端末２０はその際の時刻ずれ量を累積して記憶する。時刻のずれ量を取得した際に、その前に既に温度補償が行われていた場合、既に補正された補正量を差し引いて歩度ずれ量を取得するとよい。また、図１２は、累積時刻ずれ量が５秒に達するのに要した期間において温度取得部２４が取得した最低温度は２４℃であり、最高温度は２９℃であり、その平均温度が２６．５℃であった場合の例を示す。
【００６８】
第２実施形態においては、歩度ずれ量取得部２３が取得した歩度ずれ量は、電子時計１の使用環境の温度が２６．５℃における歩度ずれ量（補正値）であると推定する。
【００６９】
なお、ここでは平均温度として、最低温度と最高温度との平均値を用いたが、これに限られるものではなく、電子時計１の使用環境の温度の傾向を示すものであればよい。例えば、温度取得部２４が取得した全ての温度の平均値を用いてもよい。また、平均温度に限られるものではなく、温度取得部２４が取得した全ての温度の中央値あるいは最頻値を用いてもよい。
【００７０】
第２実施形態においては、電子時計１の使用環境の温度の傾向と、推定される補正値とに基づいて、温度補償条件の精度を向上させる。具体的には、水晶振動子４０の実際の温度特性に対して、現在推定されている水晶振動子４０の温度特性の合わせ込み（修正）を行う。以下、水晶振動子４０の現在推定されている温度特性を、保持温度特性と呼ぶこととする。生成部２７は、使用環境の温度の傾向と歩度ずれ量に基づいて、保持温度特性を修正した新たな保持温度特性、及び修正後の保持温度特性に応じた温度補償条件を生成する。なお、温度補償条件は、保持温度特性を示す二次曲線に対して横軸を対称軸として線対称の二次曲線で表すことができる。生成された温度補償条件は、温度補償条件記憶部２５に記憶される。そして、切替部２６が最も精度の高い最新の温度補償条件を選択するとよい。また、切替部２６が選択した温度補償条件を、近距離無線通信により携帯端末２０から電子時計１に送信するとよい。
【００７１】
以下、図１３〜図２０を参照して、複数回合わせ込みを行うことにより、保持温度特性が、水晶振動子４０の実際の温度特性に近づいていく様子を説明する。図１３は、第２実施形態における水晶振動子の保持温度特性と実際の温度特性を示す図である。図１４〜図２０は、第２実施形態における保持温度特性の合わせ込みについて説明する図である。
【００７２】
図１３において、２次曲線Ｔ１は保持温度特性を示し、２次曲線Ｒは実際の水晶振動子４０の温度特性を示す。水晶振動子４０は、使用環境の温度に応じて、発振周波数が変動する。使用環境の温度に応じて変動する発振周波数の傾向を予め予測し、温度補償条件の設定が行われるが、製造時における水晶振動子４０の温度特性Ｒの予測の精度には限界がある。また、電子時計１を修理した場合等、水晶振動子４０の温度特性Ｒが変動してしまう場合もある。そのため、実際の水晶振動子４０の温度特性に対して、予め設定される温度補償条件がずれてしまう場合がある。実際の水晶振動子４０の温度特性と、温度補償条件とがずれていた状態においては、精度の高い温度補償を行うことができない。図１３においては、水晶振動子４０の実際の温度特性Ｒと、予め設定される保持温度特性Ｔ１とがずれた状態を示している。
【００７３】
なお、第２実施形態においては、水晶振動子４０の実際の温度特性を表す関数が予め分かっている場合の例について説明する。すなわち、水晶振動子４０の実際の温度特性を、ｙ＝ｆ（ｘ）＝−ａ×（ｘ−ｃ）２＋ｂ（温度がｃの時、歩度ずれが最も小さく、その値がｄ）との二次関数で表した場合、保持温度特性は、ｙ＝ｆ（ｘ）＝−ａ×（ｘ−ｄ）２＋ｅ（温度ｄの時、歩度ずれが最も小さく、その値がｅ）との二次関数で表すとする。
【００７４】
図１４〜図２０において、温度取得部２４が取得した最高温度を「Ｍａｘ」、最低温度を「Ｍｉｎ」、最高温度と最低温度の平均温度を「Ｔｇｔ」と示す。また、図１４〜図２０に示す点Ａは、図１２を参照して説明した、温度取得部２４が取得した平均温度における歩度ずれ量を示す。
【００７５】
第２実施形態においては、点Ａに応じて保持温度特性を修正し、その修正を複数回行うことにより、保持温度特性を徐々に、水晶振動子４０の実際の温度特性に近づける。具体的には、第２実施形態においては、点Ａを通る保持温度特性の法線Ｌ上において、保持温度特性を所定量移動させた。ここで、移動方向（修正方向）のベクトルをＶとし、ベクトルＶに適当な係数α（０＜α＜１）を乗じた値αＶの絶対値を移動量（修正量）とした。
【００７６】
図１４に示す保持温度特性Ｔ２は、保持温度特性Ｔ１を、点Ａを通る保持温度特性Ｔ１の法線Ｌ上で所定量移動させたものである。このような移動を繰り返すことにより、保持温度特性は、水晶振動子４０の実際の温度特性に近づくよう修正される。
【００７７】
図１５に示す保持温度特性Ｔ３は、保持温度特性Ｔ２を、点Ａを通る保持温度特性Ｔ２の法線Ｌ上で所定量移動させたものである。図１６に示す保持温度特性Ｔ４は、保持温度特性Ｔ３を、点Ａを通る保持温度特性Ｔ３の法線Ｌ上で所定量移動させたものである。図１７に示す保持温度特性Ｔ５は、保持温度特性Ｔ４を、点Ａを通る保持温度特性Ｔ４の法線Ｌ上で所定量移動させたものである。図１８に示す保持温度特性Ｔ６は、保持温度特性Ｔ５を、点Ａを通る保持温度特性Ｔ５の法線Ｌ上で所定量移動させたものである。図１９に示す保持温度特性Ｔ７は、保持温度特性Ｔ６を、点Ａを通る温度補償条件Ｔ６の法線Ｌ上で所定量移動させたものである。図２０に示す保持温度特性Ｔ８は、保持温度特性Ｔ７を、点Ａを通る保持温度特性Ｔ７の法線Ｌ上で所定量移動させたものである。
【００７８】
以上説明したように、温度取得部２４が取得した平均温度における歩度ずれ量に応じて、保持温度特性を繰り返し修正することにより、保持温度特性は、水晶振動子４０の実際の温度特性に近いものとなる。このように修正した保持温度特性に基づく温度補償条件を用いて、温度補償を行うことにより、水晶振動子４０の実際の温度特性に応じた精度の高い温度補償を行うことが可能となる。なお、ここで説明した保持温度特性の修正量や修正方向は一例であり、これに限られるものではない。保持温度特性の修正量や修正方向は、温度取得部２４が取得した使用環境の温度の傾向と、歩度ずれ量取得部２３が取得した歩度ずれ量に基づいて、設定されるものであればよい。
【００７９】
第２実施形態においては、電子時計１を継続的に使用するに伴い、温度補償条件の精度が最適化されていく。これにより、製品の出荷前の水晶振動子４０の温度特性の予測の精度に関わらず、精度の高い温度補償を行うことができる。また、メーカー等が電子時計１を出荷する前に予め水晶振動子４０の温度特性を予測し、その温度特性に応じた温度補償条件を生成しなくても、精度の高い温度補償を行うことができることとなる。そのため、出荷前におけるメーカー等の負担が軽減され、また、水晶振動子の温度特性が不明な新製品等を早期に出荷することが可能となる。
【００８０】
第２実施形態においては、電子時計１が一定期間使用された場合、現在の電子時計１の月差がいくらであるかユーザに通知する構成にするとよい。また、電子時計１と携帯端末２０との通信接続の回数が少なく、温度補償の精度が十分でない場合は、ユーザに対して接続を促す通知を行う構成にするとよい。それら通知は、例えば、携帯端末２０又は電子時計１が備えるディスプレイに表示することで、ユーザが確認できる構成にするとよい。
【００８１】
また、第２実施形態においては、水晶振動子４０の実際の温度特性を表す二次関数が予め分かっている場合について説明したが、これに限られるものではない。すなわち、水晶振動子４０の実際の温度特性を表す曲線の形状が予め分かっていない場合においても、測定した温度と歩度ずれ量から、保持温度特性を生成してもよい。以下、図２１を参照して、第２実施形態の変形例として具体的に説明する。
【００８２】
図２１は、第２実施形態の変形例における水晶振動子の保持温度特性と実際の温度特性を示す図である。
【００８３】
例えば、図１２を参照して説明した、温度取得部２４が取得した平均温度における歩度ずれ量に関する測定データを複数取得し、生成部２７がその測定データを二次元プロットし、プロットした複数の点を繋ぐことにより保持温度特性を表す曲線を推定し、生成するとよい。図２１は、測定データを６つ取得し、それらを繋いで保持温度特性Ｔを表す曲線を生成する例について示す。
【００８４】
または、水晶振動子４０の実際の温度特性Ｒを２次多項式や３次多項式等、所定のＮ次多項式（Ｎは１以上の自然数）で示すことができると仮定した上で、上記と同様に測定データを複数取得し、生成部２７がその測定データを二次元プロットし、回帰分析することにより保持温度特性Ｔを生成するとよい。なお、３次多項式で表すことができる温度特性を有する発振子又は発振器としては、例えば、ＡＴカット型の水晶振動子等があり、１次多項式で表すことができる温度特性を有する発振子又は発振器として、例えば、セラミック発振子（例えば、セラロック（登録商標））等がある。なお、複数取得した測定データのそれぞれに重み付けを行った上で回帰分析してもよい。例えば、温度の平均値を取得した際の、温度の最大値と最小値との差が一定以上の場合は、その測定データに関する重みを低くする、又は無効なデータとして使用しなくてもよい。また、例えば、取得日の古い取得データについては重みを低くする、又は無効なデータとして使用しなくてもよい。
【００８５】
このように保持温度特性Ｔに関する曲線を生成した上で、図１３〜図２０を参照して説明したのと同様に水晶振動子４０の実際の温度特性Ｒに対して保持温度特性Ｔの合わせ込みを行うことで、電子時計１の使用開始当初における温度補償の精度は十分ではないが、使用を継続することにより、高い精度の温度補償を行うことができる。
【００８６】
なお、第２実施形態で説明した保持温度特性の修正を、第１実施形態に組み合わせて行ってもよい。すなわち、温度補償条件記憶部２５に複数の温度補償条件を記憶させておき、複数の温度補償条件のうち使用環境の温度に適した温度補償条件を切替部２６が選択し、さらに、選択された温度補償条件に対応する保持温度特性を水晶振動子４０の実際の温度特性に対して合わせ込みを行うとよい。これにより、より精度の高い温度補償を行うことが可能となる。
【００８７】
また、第２実施形態の変形例で説明した保持温度特性の生成を、第１実施形態に組み合わせて行ってもよい。すなわち、生成部２７が、測定データを二次元プロットし、保持温度特性を表す二次関数を生成し、その二次関数に基づいて温度測定部３８が測定した使用環境の温度の傾向が、温度区間が密な領域に対応するような温度補償条件を生成するとよい。
【００８８】
なお、上記実施形態では、携帯端末２０が、温度補償条件を生成する例について説明したが、これに限られるものではなく、携帯端末２０が、ネットワークを介して、温度補償条件を記憶するデータベースを有するサーバにアクセスし、そのデータベースから温度補償条件を取得する構成であってもよい。その場合、例えば、メーカー等が管理するサーバに設けられる生成部が、複数のユーザが使用する同様の温度特性を有する水晶振動子４０を備える電子時計１のそれぞれから、使用環境の温度及び歩度ずれに関するデータを取得し、取得したデータに基づいて、温度補償条件を生成するとよい。具体的には、複数のユーザが使用する電子時計１のそれぞれから取得したデータに基づいて、回帰分析等を行うことにより、温度補償条件を生成するとよい。そして、生成した温度補償条件を、複数のユーザが使用する各電子時計１と通信接続可能な各携帯端末２０に対して配信し、携帯端末２０が有する温度補償条件記憶部２５に記憶させるとよい。これにより、新製品など、水晶振動子４０の温度特性を予め予測することができない場合においても、精度のよい温度補償条件を生成することが可能となる。また、電子時計１と携帯端末２０との接続頻度が少ないユーザに対しても、精度のよい温度補償条件を提供することが可能となる。
【００８９】
また、複数のユーザが使用する電子時計１のそれぞれから取得したデータに基づいて、使用環境の温度と補正値との関係を二次関数として連続的に対応付けた情報を取得し、生成部２７が、温度測定部３８が測定した使用環境の温度の傾向に基づいて、その二次関数から、使用環境の温度と補正値とが離散的に対応付けられる温度補償条件を生成してもよい。具体的には、使用環境の温度の傾向が、温度区間が密の領域に対応するような温度補償条件を生成するとよい。これにより、電子時計１に記憶される情報量を増大することなく、水晶振動子４０の使用環境に応じて精度の高い温度補償を行うことが可能となる。
【００９０】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【００９１】
１  電子時計、２  竜頭、３  プッシュボタン、４  文字板、５  時針、６  分針、７  秒針、８  接続処理表示、９  リンクロス表示、１０  電子メール受信表示、１１  電話着信表示、２０  携帯端末、２１  ＧＰＳ受信部、２２  基準時刻生成部、２４  温度取得部、２５  温度補償条件記憶部、２６  切替部、２７  生成部、３１  発振回路、３２  分周回路、３３  カウンタ、３４  制御部、３５  モータ駆動回路、３６  ステッピングモータ、３７  時刻表示部、３８  温度測定部、３９  温度補償回路、４０  水晶振動子、４１  温度記録部。
【図１】
2018191108.tif 000003
【図２】
2018191108.tif 000004
【図３】
2018191108.tif 000005
【図４】
2018191108.tif 000006
【図５】
2018191108.tif 000007
【図６】
2018191108.tif 000008
【図７】
2018191108.tif 000009
【図８】
2018191108.tif 000010
【図９】
2018191108.tif 000011
【図１０】
2018191108.tif 000012
【図１１】
2018191108.tif 000013
【図１２】
2018191108.tif 000014
【図１３】
2018191108.tif 000015
【図１４】
2018191108.tif 000016
【図１５】
2018191108.tif 000017
【図１６】
2018191108.tif 000018
【図１７】
2018191108.tif 000019
【図１８】
2018191108.tif 000020
【図１９】
2018191108.tif 000021
【図２０】
2018191108.tif 000022
【図２１】
2018191108.tif 000023